(57)【特許請求の範囲】
【請求項１】
擬毛を植設することでウィッグが構成されるウィッグ用ベースであって、
着用者の頭部に装着されるベース本体（１０）と、
ベース本体（１０）の外縁に、当該外縁を越えて外方に突出するように配置された迷彩ネット（２０）と、
迷彩ネット（２０）の上に配置された線状部材固定用シート（３０）と、
線状部材固定用シート（３０）の上に、波状に蛇行して一部が迷彩ネット（２０）を超えて外方に突出するように配置された、保形性を有する線状部材（４０）と、
線状部材（４０）の上方でベース本体（１０）の外縁に配置された補強層（５０）と、を備えており、
ベース本体（１０）、迷彩ネット（２０）および線状部材固定用シート（３０）の厚みによって、ベース本体（１０）の下面から線状部材（４０）の下面までに一定の距離（ｈ）を確保したことを特徴とする、ウィッグ用ベース。
【請求項２】
上記ベース本体（１０）および線状部材固定用シート（３０）の全体がネット素材で構成されていて、
ベース本体（１０）の網目よりも、線状部材固定用シート（３０）の網目が細かい、請求項１記載のウィッグ用ベース。
【請求項３】
上記ベース本体（１０）および補強層（５０）が同じネット素材で構成されている、請求項１または２記載のウィッグ用ベース。
【請求項４】
上記線状部材（４０）は、ベース本体（１０）上で、着用者の前頭部側に対応する領域に配置されている、請求項１〜３のいずれか１つに記載のウィッグ用ベース。
【請求項５】
請求項１〜４のいずれか１つに記載のウィッグ用ベースに人工毛または人毛からなる擬毛を植設して構成された、ウィッグ。
【発明の詳細な説明】
【技術分野】
【０００１】
本発明は、擬毛（人工毛または人毛）を植設してウィッグを構成するウィッグ用ベースに関する。さらに詳しくは、着用者の頭部に残存する自毛の上に載せるように着用するウィッグを構成するウィッグ用ベースに関する。
【背景技術】
【０００２】
もともとカツラは、禿げた頭部を隠すために使用されてきた。そのようなカツラにおいて、生え際を自然に見せるため、従来から種々の工夫が提案されてきた。
【０００３】
特許文献１は、カツラベース自体の前縁を不規則な凹凸に形成することを開示している。また、特許文献２では、カツラベースの前縁に波形の部材（ワイヤー等）を支承体で固定することが開示されている。
これらはいずれも、着用者の前頭部が禿げていて自毛が全く残っていない場合、あるいは僅かしか残っていない場合に、カツラによる生え際を自然に見せるために工夫されたものである。
【先行技術文献】
【特許文献】
【０００４】
【特許文献１】特許第５００５９１８号
【特許文献２】特開昭６１−２３１２０４号明細書
【発明の概要】
【発明が解決しようとする課題】
【０００５】
一方、上記のような元来のカツラとは別に、近年女性を中心として、自毛のボリューム不足を補ったり、染毛によるダメージ軽減のため染毛回数を減らす目的で、カツラが使用されることが多くなってきた。このようなカツラは、ウィッグと呼ばれることも多い。
このようなウィッグは、必ずしもカツラが必要とまでは言えない程度に残存している自毛の上に載せるように装着するという点において、禿部をカバーする元来のカツラとは事情が異なる。
【０００６】
本発明の課題は、上記のように残存した自毛の上に装着するウィッグ用ベースに関して、ベース端縁に植設された擬毛と、頭部に残存する自毛との境界部を自然に見せることである。
【課題を解決するための手段】
【０００７】
本発明により、以下の特徴を備えたウィッグ用ベースが提供される。本発明のウィッグ用ベースは、擬毛を植設することでウィッグが構成されるものであって、「着用者の頭部に装着されるベース本体」と「ベース本体の外縁に、当該外縁を越えて外方に突出するように配置された迷彩ネット」と「迷彩ネットの上に配置された線状部材固定用シート」と「線状部材固定用シートの上に、波状に蛇行して一部が迷彩ネットを超えて外方に突出するように配置された、保形性を有する線状部材」と「線状部材の上方でベース本体の外縁に配置された補強層」とを備える。「ベース本体」、「迷彩ネット」および「線状部材固定用シート」の厚みによって、ベース本体の下面から線状部材の下面までに一定の距離（ｈ）が確保される。
上記「保形性」とは、外力が作用して変形した場合に、変形後の形状をある程度維持することができる性質をいう。
【発明の効果】
【０００８】
上記構成を備えた本発明のウィッグ用ベースによれば、上記距離（ｈ）のスペースが存在するが故に、次のような効果を得ることができる。すなわち、ウィッグ用ベースの端縁真下に存在する自毛が、その根本において一定の立ち上がりを確保することができ、その結果、ウィッグ用ベースの端縁領域が立ち上がった自毛によって外方から有効に遮られ、自然な外観を確保することができる。
【図面の簡単な説明】
【０００９】
【図１】本発明の一実施形態に係るウィッグ用ベースの概略平面図。
【図２】図１のウィッグ用ベースの積層構造を模式的に説明する分解図。
【図３】図１中の３−３線断面について、その前頭部側領域を示す拡大断面図。
【図４】ベース本体１０に対する線状部材４０の相対的配置および寸法の一例を示す模式図。
【図５】本発明のウィッグ用ベースのバリエーション例を示す図。
【図６】本発明のウィッグ用ベースのバリエーション例を示す図。
【発明を実施するための形態】
【００１０】
本発明の実施形態を、添付の図面を参照して以下に説明する。図１は、本発明の一実施形態に係るウィッグ用ベース１を上方から見た概略平面図である。このウィッグ用ベース１に対して、人工毛または人毛からなる擬毛が植設され、ウィッグ（図示せず）が構成される。
【００１１】
図２は、図１のウィッグ用ベース１の積層構造を模式的に示す分解図である。図ではベース本体１０その他の構成要素を平坦に描いているが、これは図示を簡単にするためであって、実際には、着用者の頭部に合う湾曲形状とされる。詳細は以下に説明するが、ベース本体１０の外縁に迷彩ネット２０が配置され、その上に線状部材固定用シート３０を介して線状部材４０が配置され、一番上に、補強層５０が配置される。
【００１２】
《ベース本体１０》
ベース本体１０は、ウィッグ用ベース１の土台となるもので、着用者の頭部に合う湾曲形状とされる。ベース本体１０は、図示した例では、その全体がネット素材で構成されているが、合成樹脂シート、あるいはネット素材と合成樹脂シートを併用したもの等を使用してもよい。ネット素材は、軽量で通気性に優れているという利点がある。
【００１３】
《迷彩ネット２０》
図３（ａ）に拡大して示したように、迷彩ネット２０は、ベース本体１０の外縁に、当該外縁を越えて外方に突出するように配置される。その突出量（ｇ）は、例えば１〜２ｍｍとする。
迷彩ネット２０がベース本体１０の外縁を越えて突出することにより、ベース本体１０の端縁が外部から視認されることを有効に防止できる。このような目的を考慮すれば、迷彩ネット２０は、ベース本体１０の全周に渡って設けることが好ましいが、場合によっては外周縁の一部領域だけに迷彩ネット２０を設ける構成でもよい。
ネットの網目形状については特に限定されるものではないが、迷彩効果の高い略６角形形状の網目が好ましい。また、図示した実施形態においては、迷彩ネット２０は断面コ字状に折り畳んだ２層構成としているが、折畳みのない単層構成であってもよい。
【００１４】
《線状部材固定用シート３０、線状部材４０》
迷彩ネット２０の上には、線状部材固定用シート３０を介して、保形性を有する線状部材４０が配置される。本発明においていう「保形性」とは、外力が作用して変形した場合に、変形後の形状をある程度維持することができる性質をいう。金属、合成樹脂等からなる線材でもそのような性質を実現できるが、特許第３５８２８５４号（特許権者：三井化学工業）に開示された塑性変形性ポリエチレン材料から構成した直径０．７〜０．９ｍｍ程度の線材を使用することが好ましい。
【００１５】
まず、迷彩ネット２０の上に線状部材固定用シート３０が配置され、その上に線状部材４０が配置される。線状部材固定用シート３０は、ベース本体１０に対する線状部材４０の位置決めを容易にするとともに、後述する隙間「ｈ」を確保するために配置される（図３ｂ参照）。また、線状部材固定用シート３０が存在することにより、線状部材４０は、より安定して固定される。
例えば、ベース本体１０が網目の大きなネット素材で構成される場合に、それよりも小さな網目のネット素材からなるシート３０を介在させることによって、線状部材４０の縫着作業が容易になるとともに、より安定して固定される。線状部材固定用シート３０は、必ずしもネット素材である必要はなく、網目の無いシート材（布、合成樹脂、その他）であってもよい。ネット素材は、軽量で通気性に優れているという利点がある。
【００１６】
図示した例では、線状部材４０は、ウィッグ用ベース１上の着用者前頭部に対応する領域にのみ配置されている。しかし、本発明において、線状部材４０の配置位置は、特定の領域に限定されるものではなく、適宜設定することが可能である。そして、線状部材固定用シート３０は、少なくとも線状部材４０が配置される領域に存在していればよい。
【００１７】
図４は、線状部材４０の配置および寸法について、その一例を示している。線状部材４０は、波状に蛇行していて、一部（すなわち、間隔をおいた複数の山状部分）がベース本体１０の前端縁、および迷彩ネット２０の前端縁を超えて外方に突出するように配置されている。
図４の例では、「背の低い山」と「背の高い山」が繰り返し交互に現れる配置としている。蛇行する線状部材４０の折返しピッチ（ａ）は５ｍｍである。また、ベース本体１０の端縁からの突出量は、「背の低い山」の突出量（ｂ）が３ｍｍで、「背の高い山」の突出量（ｃ）が５ｍｍである。また、線状部材４０は、ベース本体１０の端縁から１０ｍｍの距離（ｄ）だけ内方へ進入して保持されている（具体的な保持態様は後述する）。
以上はあくまでも一例であって、各寸法や、山の数および高さのバリエーションは適宜選択することが可能である。
【００１８】
図３（ｂ）に示したように、ベース本体１０上に、迷彩ネット２０および固定用シート３０を介して、その上に線状部材４０が配置されているので、ベース本体１０の下面から線状部材（４０）の下面までに一定の距離（ｈ）を確保することができる。これによる効果を図３（ｃ）を参照して説明する。
【００１９】
《距離ｈによる効果》
図３（ｃ）では、ウィッグ用ベース１と着用者の頭皮に残存する自毛を併せて模式的に描いている（図示を簡略化するため、頭皮も平坦に描き、自毛は部分的に描いている）。
上記距離（ｈ）のスペースが存在することで、ウィッグ用ベース端縁真下に存在する自毛（Ｘ）は、その根本において一定の立ち上がりを確保することができる。その結果、ベース端縁領域（Ｙ）が自毛（Ｘ）によって外方から有効に遮られて、自然な外観を確保することができる。図ではウィッグ用ベースに植設される擬毛を描いていないが、当該擬毛と立ち上がった自毛とが混ざって自然な外観を呈することができる。
仮に、上記距離（ｈ）のスペースが存在しない場合には、ウィッグ用ベース端縁真下において自毛が立ち上がらないが故に、ウィッグ用ベース端縁を自毛で外方から有効に遮ることができず、不自然な境界が露出してしまう。
なお、距離（ｈ）については、一定の数値範囲内（０．８０〜１．００ｍｍ程度）にあることが好ましい。（ｈ）が小さ過ぎると自毛が倒れて有効な立ち上がり効果が得られず、一方、（ｈ）が大き過ぎるとベースと自毛の境界が目立って不自然になるからである。
なお、図面上では、説明を分かり安くするため、各部の寸法は上記実際の寸法よりも大きく描いている。
【００２０】
《補強層５０》
線状部材４０の上方には、補強層５０が配置される（図２参照）。補強層５０は、線状部材４０を上方から固定するとともに、線状部材４０を含めたウィッグ用ベース全体の周囲を補強する目的で配置される。ただし場合によっては、補強層５０は、ウィッグ用ベースの全周ではなく、一部の領域にのみ設けてもよい。
補強層５０の材質は、上記目的を達成できるものであれば、特に限定されるものではない。下に例示する製造手順では、ベース本体１０と同じネット素材を補強層５０として使用しているが、その場合には、製造工程の簡略化およびコスト低減というメリットが得られる。
【００２１】
《製作手順の一例》
ウィッグ用ベース１の製造手順の一例を以下に説明する。
（１）着用者の頭部を形取った頭部石膏型に、ベース本体１０を構成するネット材料を２枚重ねて張り付け、周辺をステープルで固定する（固定される箇所は、最終的にはベース本体を構成しない外周部であって、後に切除される）。
この状態で、頭部石膏型を熱風乾燥機に入れて加熱し、ネット材料を着用者の頭部形状にフィットする形状とする。
２枚のネット材料のうちの１枚のみを取り外して、１枚だけが頭部石膏型上に固定された状態とする（取り外した１枚は、後述するように、補強層５０として使用する）。
（２）頭部石膏型には、予め、最終的なベース本体１０の形状に対応する外形ラインが記入されている。頭部石膏型上のネット材料に対して、この外形ラインに沿って迷彩ネット２０を仮止めする（仮止めは、超音波、まち針、その他適宜の手段をもって行う）。
このネット材料を頭部石膏型から取り外し、迷彩ネット２０を縫着により本止めする。このとき、図３（ａ）に示したように、ベース本体１０の端縁から距離（ｇ）だけ、迷彩ネット２０が突出するようにしておく。
（３）迷彩ネット２０を本止めした後、その上に、線状部材固定用シート３０を配置して縫着により固定する。シート３０は、ベース本体１０の端縁を越えて突出することのないように配置する。これは、突出した迷彩ネット２０が隠れないようにして、その迷彩効果を確保するためである。そして、固定用シート３０の上に、線状部材４０を図４に示したように配置して、縫着により固定する。
既に説明したように、固定用シート３０は、これを配置することで線状部材４０の固定を行い易くする意味合いがある。例えば、ベース本体１０が網目の大きなネット素材で構成される場合に、それよりも小さな網目のネット素材からなるシート３０を介在させることによって、線状部材４０の縫着作業が容易になる。さらに、固定用シート３０を介在させることによって、前述の距離（ｈ）を確保することができる。
（４）上記（１）で取り外しておいた片方のネット材料を、線状部材４０の上方から被せて、全体を頭部石膏型にステープルで固定し仮止めした後、縫着固定する。縫着固定の後、当該ネット材料の中央領域だけ（後述する縫着位置IIの内周側だけ）を切除して、ウィッグ用ベース全周に渡る環状の補強層５０とする。すなわち、この例では、ベース本体１０および補強層５０を同じネット材料で構成することによって、製造工程およびコストの低減を図っている。
（５）以上の説明では、「ベース本体１０上」に、「迷彩ネット２０」、「線状部材固定用シート３０」、「線状部材４０」、「補強層５０」を縫着により固定しているが、その縫着位置は、図３（ａ）に示した縫着位置I、IIの２箇所において、ベース全周に渡って（あるいは部分的に）行うことが好ましい。上の例では各要素を個々に別々に縫着しているが、すべてを重ねた後で一度に縫着してもよい。
【００２２】
以上で、ウィッグ用ベース１が完成する。ウィッグ用ベース１に対して、人工毛または人毛からなる擬毛を植設してウィッグ（図示せず）を構成する。擬毛の具体的な植設方法としては、一般的に知られた態様を適宜採用すればよい。例えば、線状部材４０に対する擬毛の植設は、特開平２０１２−０８２５６６号に開示されたものと同様に、幹となる主擬毛４２を設け、この主擬毛４２に対してさらに枝分かれするように副擬毛４３を植設すると、より豊富な毛量を実現できる（図４）。なお、図４では、１本の主擬毛および２本の副擬毛のみを代表して描いている。
【００２３】
《バリエーションの例示》
本発明において、ウィッグ用ベース１の具体的なサイズや、突出する線状部材４０の山の態様は特定のものに限定されることはなく、種々のバリーションを提供することができる。
図５は、そのようなバリエーションのうちの１つについて（バリエーションＢ）、平面図および斜視図を示している。図５に示したバリエーションＢは、その最大幅Ｌが約１２ｃｍ、山の数は９個である。また、これを含めて全５つのバリエーションＡ〜Ｅを図６に示している。図示した以外にも多様なバリエーションが可能である。
【符号の説明】
【００２４】
１  ウィッグ用ベース
１０  ベース本体
２０  迷彩ネット
３０  線状部材固定用シート
４０  線状部材
４２  主擬毛
４３  副擬毛
５０  補強層
【図１】
0005498619.tif 000002
【図２】
0005498619.tif 000003
【図３】
0005498619.tif 000004
【図４】
0005498619.tif 000005
【図５】
0005498619.tif 000006
【図６】
0005498619.tif 000007